(57)【特許請求の範囲】
【請求項１】
入力通信情報を選択して、複数の端末群へ同報出力する通信装置において、
上記入力通信情報を所定のフォーマットに変換して出力するデータ入出力部、を複数個と、
複数の上記データ入出力部の出力データを入力データとしてデータ交換して出力する第１の交換部と、
上記第１の交換部の出力データを入力データとして、所定の選択をして折返し出力する選択・折返し部と、
上記選択・折返し部が出力する出力データを入力データとして１対Ｎ（Ｎは２以上の整数）データ交換してＮ個のデータ入出力部に同報出力する第２の交換部と、を備えて、
Ｎ個の上記データ入出力部は、上記第２の交換部が出力する上記同報出力を受けて該同報出力をそれぞれ所定の端末に送信することを特徴とする選択・折返し通信装置。
【請求項２】
選択・折返し部は、単一の出力スロットを持つ構成とし、第１の交換部からの複数の入力データに対して１つを選択して出力データとすることを特徴とする請求項１記載の選択・折返し通信装置。
【請求項３】
第１の交換部は、単一の出力スロット持つ構成とし、複数の入力データからＮ対１（Ｎは２以上の整数）データ交換して１つの出力データを選択して出力する構成としたことを特徴とする請求項１記載の選択・折返し通信装置。
【請求項４】
複数のデータ入出力部が一つのグループを形成し、該一つのグループに属する各データ入出力部は、複数の入力から１つの出力を選択する選択情報に基づいて入力通信情報を出力制御する選択判定部を備えて、該選択判定部は上記所定の選択情報が与えられると、上記同一のグループ中で選択されたデータ入出力部であるとして、上記入力通信情報を出力制御することを特徴とする請求項１記載の選択・折返し通信装置。
【発明の詳細な説明】
【０００１】
【発明の属する技術分野】
この発明は、通信回線を経由し複数の端末間でデータ通信を行う際に１対Ｎ選択・折返しを行う通信装置に関するものである。
【０００２】
【従来の技術】
１つの送信元から複数の受信先へ通信を行う、従来の通信装置として図１９に概念を示すものがある。図において、１０１は１対Ｎ通信装置、１２１ａ〜１２１ｄは端末から入力されるデータを交換部の扱うことが可能なフォーマット・タイミングに変換を行い、かつ、１対１交換部から出力されたデータを、端末が受信できるフォーマット・タイミングに変換を行うデータ入出力部、１０３ｄは、回線の接続は端末のグループを設定する際に半固定的に設定される制御部で、特に１３１ａ、１３２ａは複数のデータ入出力部から入力されたデータを任意のＮ対１選択・折返し部へ出力を行い、かつ、Ｎ対１選択・折返し部からのデータを、任意のデータ入出力部に接続する１対１交換部、１４３ａ、１４３ｂは交換部からのデータに対し、入力データの送信開始時間、優先情報等を使用してＮ対１選択を行った後、折返しを行い、Ｎ分配出力を行うＮ対１選択・折返し部である。
また図２０は、図１９に示される入出力間の要素接続の概念を実際の実装関係で示した図である。即ち外部の送信元である特定の端末から送信情報が、入出力線１２０Ａａ経由でデータ入出力部（１）１２１ａに接続される。その出力側の信号線１３０Ｂａが制御部１０３ｄに接続される。以降概念図の図１９に示される接続関係となる。
図２０から明らかなように、通信装置は、一般的に複数のカードユニットで構成され、カードユニットを構成するカードパッケージ間は多重同期バス（線）で接続される。多重同期バス（線）は交換部に接続され、任意のカードパッケージからの任意のカードパッケージへデータを転送する。
【０００３】
従来の１対Ｎ通信装置の動作は次の通りとなる。
端末からのデータは、入出力線Ａａ経由で、１２１ａ〜１２１ｄのデータ入出力部に入力される。次に、データ入出力部１２１ａ等へ入力されたデータは、交換部を経由して、任意のＮ対１選択・折返し部に接続できるようなデータフォーマット・タイミングの信号に変換され、出力線Ｂａ経由でデータ入力部に送られる。
任意のデータ入力部１２１ａ〜１２１ｄから出力線Ｂａで１対１交換部１３１ａ等へ入力されたデータは、１対１交換部にて任意のデータ入出力部と任意のＮ対１選択・折返し部１４３ａ、１４３ｂとの１対１接続が行われ、任意のＮ対１選択・折返し部１４３ａ、１４３ｂへ接続線Ｃａ経由でデータ出力される。
Ｎ対１選択・折返し部１４３ａ等へ入力された複数のデータは、Ｎ対１選択・折返し部にて、各データのデータ入力開始時間、優先情報等を使用して、１つのデータだけが選択される。選択されたデータは、本Ｎ対１選択・折返し部にて折返される。折返されたデータは、入力されたデータと同じ数だけ分配され、接続線Ｃｂ経由で１対１交換部へ出力される。
【０００４】
Ｎ対１選択・折返し部１４３ａ等から１対１交換部１３２ｂ等へ入力されたデータは、１対１交換部にて任意のＮ対１選択・折返し部１４３ａ、１４３ｂと任意のデータ入出力部１２１ａ〜１２１ｄとの１対１接続が行われ、任意のデータ入出力部へ出力線Ｂｂ経由で出力される。
任意のデータ入出力部へ入力されたデータは、データ入出力部１２１ａ等にて、端末が受信できるデータフォーマット・タイミングの信号Ａｂに変換され、データ入出力部より出力される。
図２１は、図２０に示す実装関係の内、スロットの使用状態を説明する図であり、（１５１）等は特に図２０中のカードユニットにおける各カードパッケージのスロット占有状態を示している。例えばバス（１５１）において、Ｎ対１選択折返し部１  １４３ａはＮ１−１Ｎ１から始まって、順次Ｎ２−ＯＵＴ２、更に、多数のスロットを使用している。図２２はこのスロット使用数を回線数としてまとめたもので、合計２×（Ｍ＋Ｌ×Ｎ）スロットが必要となる。
【０００５】
【発明が解決しようとする課題】
従来の１対Ｎ通信装置では、交換部は１対１接続としてのみ使用しているため、１対Ｎ通信を実現するための多重同期バスのスロット（接続部）として、データ入出力部側に１入力・１出力分のスロット（接続部）を、Ｎ対１選択折返し部側にＮ入力・Ｎ出力分のスロットを用意する必要があった。即ち、Ｎ対１選択折返し部においても出力数を減らす構成がされていなかった。したがって、Ｎが非常に大きな数になった場合、Ｎ対１選択折返し部に接続される多重同期バスをカードユニット上に数多く用意する必要があり、装置全体、及び、交換部の規模が大きくなるという課題があった。
【０００６】
この発明は上記のような課題を解消するためになされたもので、同じ台数の端末を使用して１対Ｎ通信を行う場合に、通信装置として必要となる接続回線数（スロット数）を小さくし、かつ要素規模も小さくすることを目的とする。または、同じ容量の交換部を使用する際にはより多くの台数の端末を接続できる装置を得る。
【０００７】
【課題を解決するための手段】
この発明に係る選択・折返し通信装置は、入力通信情報を選択して、複数の端末群へ同報出力する通信装置において、
入力通信情報を所定のフォーマットとタイミング処理に変換するデータ入出力部と、複数のデータ入出力部の出力を複数の折返し部への入力として１交換出力する交換部、または複数の折返し部からの入力を実質１対複数出力する交換部と、交換部出力から所定の選択をして折返し出力する選択・折返し部とを備えた。
【０００８】
また更に、選択・折返し部は、複数の入力に対して１つを選択して出力する構成とした。
【０００９】
また更に、交換部は、複数の入力から１つの出力を選択する基準を判定する選択判定部を備えた。
【００１０】
また更に、データ入出力部は、複数の入力から１つの出力を選択する選択情報に基づいて判定、選択制御する選択判定部を備えた。
【００１１】
【発明の実施の形態】
実施の形態１．
以下、本実施の形態における通信装置の構成を図によって説明する。
図１は、その接続形態と処理概念を示す図である。図において、１ａは１対Ｎ通信装置であり、内部構成として以下の要素を持つ。２１ａ〜２１ｄは端末から入力されるデータを交換部の扱うことが可能なフォーマット・タイミングに変換を行い、かつ、１対１交換部から出力されたデータを、端末が受信できるフォーマット・タイミングに変換を行うデータ入出力部、３ａは、入出力回線の接続については、端末のグループを設定する際に半固定的に設定される制御部、３１ａは、複数のデータ入出力部から入力されたデータを任意のＮ対１選択・折返し部へ出力を行うための１対１交換部、３２ａは、本実施の形態で特徴のある要素であり、Ｎ対１選択・折返し部からのデータを任意のデータ入出力部に接続・分配する１対Ｎ交換部、また４１ａ、４１ｂは同じく特徴のある接続を行う、交換部からのデータに対し、入力データの送信開始時間、優先情報等を使用してＮ対１選択を行った後、折返しを行うＮ対１選択・折返し部である。
【００１２】
図２は、図１に示される要素の入出力間の接続関係を、実装面から示した図である。図の（５３）では、外部の端末からの、及び端末への入出力線１２０Ａａ、１２０Ａｂ等がデータ入出力部１  ２１ａ等に接続され、かつデータ入出力部１  ２１ａの出力線Ｂａ等がバッファ部経由で制御部３ａ内の１対１交換部３１ａに接続されている。同様に（５１）では、１対１交換部３１ａ、１対Ｎ交換部３２ａ等とＮ対１選択折返し部１  ４１ａ等との接続線Ｃａ、Ｃｂが設けられている。
図３は、図２の実装図の中で、特にスロットの使用状態を説明する図であり、（５１）ないし（５４）は、図２のそれと対応している。この図で示すように、本構成の特徴は制御部３ａ中の折返した後の交換部として、従来要素に代えて１対Ｎ交換部３２ａを使用することと、図３のスロット使用状態から明らかなように、Ｎ対１選択折返し部の出力を１つに限定して１対Ｎ交換部３２ａと接続することである。
【００１３】
本実施形態における通信装置の動作は、次の通りである。
端末からのデータは、入出力線１２０  Ａａによりデータ入出力部２１ａ〜２１ｄに入力される。データ入出力部へ入力されたデータは、交換部を経由して、任意のＮ対１選択・折返し部に接続できるようなデータフォーマット・タイミングの信号に変換され、出力線Ｂａに出力される。任意のデータ入力部２１ａ〜２１ｄから１対１交換部３１ａへ入力されたデータは、１対１交換部にて任意のデータ入出力部と任意のＮ対１選択・折返し部４３ａ、４３ｂとの１対１接続が行われ、任意のＮ対１選択・折返し部（４３ａ、４３ｂ）へ接続線Ｃａ経由でデータ出力される。
Ｎ対１選択・折返し部へ入力されたこれら複数のデータは、Ｎ対１選択・折返し部にて、各データのデータ入力開始時間、優先情報等を使用して、１つのデータだけが選択される。選択されたデータは、本Ｎ対１選択・折返し部にて折返される。折返されたデータは、この場合、１つの出力スロットから接続線Ｃｂ経由で、１対Ｎ交換部３２ａへ出力される。Ｎ対１選択・折返し部から１対Ｎ交換部３２ａへ入力されたデータは、１対Ｎ交換部にて任意のＮ対１選択・折返し部４３ａ、４３ｂと任意のデータ入出力部２１ａ〜２１ｄとの１対Ｎ接続・分配が行われ、任意のデータ入出力部へ出力線Ｂｂ経由で出力される。任意のデータ入出力部へ入力されたデータは、データ入出力部にて、端末が受信できるデータフォーマット・タイミングの信号に変換され、データ入出力部より出力される。
【００１４】
図４は図１の構成の通信装置が必要とするす路と線を回線数としてまとめたものである。例えば、入力側のデータ入力部と交換部との接続のためにはＭスロットあればよく、同じく入力側の交換部とＮ対１選択折返し部間の接続のためにＬ×Ｎスロットがあればよい。こうして通信装置の折返し接続のためには、合計で２×Ｍ＋（Ｌ＋１）×Ｎスロットでよいことが判る。これは従来の２×（Ｍ＋Ｌ×Ｎ）より少なくてよい。
【００１５】
先の実施の形態においては、Ｎ対１選択折返し部で１つの出力とし、１対Ｎ交換部で分配する構成を示したが、交換部において入力を選択し、出力を減らす構成としてもよい。こうすれば１対１折返し部としてハードウェアを小規模化できる。
図５は、その概念を示すブロック図である。図において、１ｂは１対Ｎ通信装置であり、内部構成として以下の要素を持つ。２１ａ〜２１ｄは端末から入力されるデータをフォーマットとタイミングの変換を行い、かつ、１対１交換部から出力されたデータも、フォーマットとタイミングの変換を行うデータ入出力部、３ｂは、データ入出力部から入力されるデータを常時使用し、周期的に入出力回線の接続を設定・変更を行う制御部、３１ｂは、本構成において特徴のある要素で、複数のデータ入出力部から入力されたデータを任意のグループ毎にＮ対１選択を行って１つとし、その選択された１つのデータを１対１折返し部へ出力を行うためのＮ対１交換部、３２ａは、１対１折返し部からのデータを、任意のデータ入出力部に接続・分配する１対Ｎ交換部、４２ａ、４２ｂはこれも簡易化された要素で、交換部からのデータに対し、折返しを行う１対１折返し部である。
【００１６】
図６は、図５に示される各要素の入出力間の接続関係を、実装面から示した図である。外部の端末からの、及び端末への入出力線１２０ａ、１２０Ａｂ等は（６３）のデータ入出力部１  ２１ａに接続される。以降の接続は、図２と同様に記述できる。
図７は、図６の実装図におけるスロットの使用状態を説明する図である。１対１折返し部４２ａ、４２ｂのスロット使用状態を表す（６１）、（６２）は、従来の図２１や、先の図３と比べても、少なくなっている。尚、本構成はＮ対１交換部３１ｂに特徴があり、詳しくは図８（Ａ）に示すように、選択判定部３４が組み込まれていて、データ入出力部２１からのＮヶの入力群に対して１を選択判定し、スイッチ設定部３５に伝えて、スイッチ部３６により、その１つを選択接続して出力する。これは、図８（Ｂ）に示す従来の半固定接続のスイッチよりは交換部の構成が多少複雑になるが、装置全体のハードウェア規模が小さくなるという利点は魅力がある。
【００１７】
図５，図６の構成による通信装置の動作は、次の通りである。
端末からのデータは、入出力線１２０  Ａａによりデータ入出力部２１ａに入力される。この、データ入出力部へ入力されたデータは所定のデータフォーマットとタイミングの信号に変換され、出力線Ｂａに出力される。このＮ対１交換部へ入力されたデータは、Ｎ対１交換部にて、各データのデータ入力開始時間、優先情報等を使用して、１つのデータが選択される。Ｎ対１交換部では、その回線のみが、１対１折り返し部への接続線Ｃａに接続され、１対１折返し部４２ａ、４２ｂへデータ出力される。交換部３ｂでは、データ入出力部から入力されるデータを常時使用し周期的に入出力回線の接続を設定・変更を行う。
１対１折返し部へ入力されたデータは、折返され、接続線Ｃｂ経由で１対Ｎ交換部３２ａへ出力される。１対１折返し部から１対Ｎ交換部へ入力されたデータは、１対Ｎ交換部にて任意の１対１折返し部４２ａ、４２ｂと任意のデータ入出力部２１ａ〜２１ｄとの１対Ｎ接続・分配が行われ、任意のデータ入出力部へ出力線Ｂｂ経由で出力される。任意のデータ入出力部へ入力されたデータは、データ入出力部にて、データフォーマットとタイミングが変換され、データ入出力部より出力される。
【００１８】
図９は図５、図６の構成を持つ通信装置が必要とするスロット数を回線数としてまとめたものである。先に図４で説明したように接続元と接続先とを結ぶために必要となるスロット数が右端の回線数で示され、折返し接続のためには合計欄に示す２×（Ｍ＋Ｌ）スロットでよいことが判る。これは従来の２×（Ｍ＋Ｌ×Ｎ）より大幅に少ない。
【００１９】
ハードウェア構成を小さくし、スロット数を減らすためには、入力側の最も小さい部分で接続を絞り込むことが有効である。以下、データ入出力部でＮ対１選択を行う構成を説明する。
図１０は、その概念を示すブロック図である。図において、１ｃは１対Ｎ通信装置であり、内部構成として以下の要素を持つ。２２ａ〜２２ｄは本構成において特徴のある要素であり、端末から入力されるデータを交換部の扱うことが可能なフォーマット・タイミングに変換を行い、同一のグループに設定された複数の入出力部に入力されたデータを相互に監視し、自身の入出力部に入力されたデータの送信開始時間・優先情報等の条件が他の入出力部に入力された送信開始時間や優先情報等の条件と比較して優れていると判断した場合のみデータ出力を行い、かつ、出力側としては、１対Ｎ交換部から出力されたデータを、端末が受信できるフォーマット・タイミングに変換を行うデータ入出力・Ｎ対１選択部である。また、３ｃは入出力回線の接続については、端末のグループを設定する際に半固定的に設定される制御部、３１ａは、データ入出力・Ｎ対１選択部から入力されたデータを任意の１対１折返し部へ出力を行うための１対１交換部、３２ａは、１対１折返し部からのデータを、任意のデータ入出力部に接続・分配する１対Ｎ交換部、４２ａ、４２ｂは交換部からのデータに対し、折返しを行う１対１折返し部である。
【００２０】
図１１は、図１０に示される概念としての要素間接続関係を実装図として示した図である。この図の意味は先の図２、図６と同様である。
図１２は、図１１の実装図でのスロット使用状態を説明する図である。特にデータ入出力・Ｎ対１選択部２２ａ〜２２ｄのスロット使用状態を表す（７３）、（７４）は、先の図３のと比べても少なくなっている。この構成を取るために、データ入出力・Ｎ対１選択部２２は図１３（Ａ）に示す選択機構が必要である。即ちＮヶのデータ入力群から、選択判定部２４が選択情報入力に基づいて出力制御部２６にデータ出力を１つに選ぶ制御を行う。これは自身のカードパッケージに限定されず、他のカードパッケージとも選択情報を共通化して、自身の特定のデータ入力が選ばれる基準を満たした場合のみ、出力されるよう制御する。図１３（Ｂ）に示す、従来の出力制御を行わない機構と比べると複雑な構成となるが、それ以上に装置全体の構成が簡易化される利点が大きい。
【００２１】
図１０、図１１の構成による通信装置の動作は、次の通りである。
端末からのデータは、入出力線１２０  Ａａによりデータ入出力・Ｎ対１選択部に入力される。この、データ入出力・Ｎ対１選択部へのデータは、データフォーマットとタイミングの信号に変換されるとともに、データ入出力・Ｎ対１選択部で、同一のグループに設定された複数の入出力部に入力されたデータを相互に監視し、自入出力部に入力されたデータの送信開始時間・優先情報等の条件が他入出力部に入力された送信開始時間や優先情報等の条件と比較して優れていると判断した場合のみ出力線Ｂａ経由でデータ出力される。
このデータは、１対１交換部３１ａへ入力され、接続線Ｃａを経由して１対１折返し部４２ａ、４２ｂへ出力される。
交換部３ｃでは、入出力回線の接続については端末のグループを設定する際に半固定的に設定される。
１対１折返し部４２ａ、４２ｂへ入力されたデータは折返され、接続線Ｃｂを介して１対Ｎ交換部３２ａへ出力される。１対１折返し部から１対Ｎ交換部へ入力されたデータは、１対Ｎ交換部にて１対Ｎ接続・分配が行われ、任意のデータ入出力・Ｎ対１選択部へ出力線Ｂｂを介して出力される。任意のデータ入出力部へ入力されたデータは、データ入出力部・Ｎ対１選択２２ａ〜２２ｄにて、データフォーマットとタイミング信号が変換され、入出力線Ａｂから出力される。
【００２２】
図１４は、先に述べた各構成における図４、図９と同様に、図１０の通信装置が必要とするスロット数を回線数としてまとめたものである。折返し接続のためには、入力側と出力側で４つの要素間接続を合計して、Ｍ＋３Ｌと極めて少ないスロット数でよいことが判る。
【００２３】
図１０の構成では、１対Ｎ交換部３２ａを使用してデータ入出力・Ｎ対１選択部へ分配出力したが、これを１対１交換とし、その代わり複数のデータ入出力部をグループ化して、そのグループに出力する構成としてもよい。
図１５は、その構成を示すブロック図である。図において、１ｄは１対Ｎ通信装置であり、内部構成として以下の要素を持つ。２２ａ〜２２ｄは入力側としては、端末から入力されるデータを交換部の扱うことが可能なフォーマットとタイミングに変換を行い、またＮ入力から１出力を選択出力し、出力側としては、１対１交換部から出力されたデータを端末が受信できるフォーマットとタイミングに変換を行うデータ入出力・Ｎ対１選択部である。また、３ｄは入出力回線の接続については、端末のグループを設定する際に半固定的に設定される制御部、３１ａは、データ入出力・Ｎ対１選択部から入力されたデータを任意の１対１折返し部へ出力を行うための１対１交換部、３２ｂは、１対１折返し部からのデータを任意のデータ入出力部に接続する１対１交換部、４２ａ、４２ｂは交換部からのデータに対し、折返しを行う１対１折返し部である。
本構成の特徴は図１０の構成と比較して、１対１交換部３２ｂが運用中は複数のデータ入出力・Ｎ対１選択部をグループとして、同一データを同時出力する機構としている。即ち、１対１交換部３２ｂは、実質的には１対Ｎ交換を行う。
【００２４】
図１６は、図１０に示される概念としての要素間接続関係を実装図として示した図であり、図１１と同様の内容を示す。
また図１７は、実装図におけるスロット使用状態を示す図であり、（８１）ないし（８４）は図１６の同番号の詳細を説明している。これらの意味は既に述べた図２、図３の中での記載と同様であり、記述を省略する。
この通信装置の動作も、図１０のそれと同様であり、記述を省略する。
図１８は、図１５、図１６に示す通信装置が必要とするスロット数を回線数としてまとめたものである。この構成によれば、合計で４×Ｌのスロット数があればよい。
【００２５】
【発明の効果】
以上のようにこの発明によれば、１対Ｎ通信の特徴を利用し、多重同期バスのスロットが少なくなる用通信装置を構成するので、任意のスロット間のデータを交換する交換部の規模が小さくてすむ（交換部の扱うスロット数が小さくなる）だけでなく、各カードユニットでの多重同期バスの回路規模も小さくなり、通信装置として規模を小さくできる効果がある。
【図面の簡単な説明】
【図１】  この発明の実施の形態１における通信装置の処理概念を示すブロック図である。
【図２】  図１の概念を構成する実装図である。
【図３】  図２の実装図におけるスロットの使用状態を説明する図である。
【図４】  図２の構成における必要スロットを示す図である。
【図５】  実施の形態１における他の通信装置の処理概念を示すブロック図である。
【図６】  図５の概念を構成する実装図である。
【図７】  図６の実装図におけるスロットの使用状態を説明する図である。
【図８】  図５のＮ対１交換部の詳細と従来の要素の詳細を示す図である。
【図９】  図６の構成における必要スロットを示す図である。
【図１０】  実施の形態１における他の通信装置の処理概念を示すブロック図である。
【図１１】  図１０の概念を構成する実装図である。
【図１２】  図１１の実装図におけるスロットの使用状態を説明する図である。
【図１３】  図１０のデータ入出力・Ｎ対１選択部の詳細と従来の要素の詳細を示す図である。
【図１４】  図１１の構成における必要スロットを示す図である。
【図１５】  実施の形態１における他の通信装置の処理概念を示すブロック図である。
【図１６】  図１５の概念を構成する実装図である。
【図１７】  図１６の実装図におけるスロットの使用状態を説明する図である。
【図１８】  図１６の構成における必要スロットを示す図である。
【図１９】  従来の通信装置の処理概念を示すブロック図である。
【図２０】  従来の図１９の概念を構成する実装図である。
【図２１】  従来の図２０の実装図におけるスロットの使用状態を説明する図である。
【図２２】  従来の図２０の構成における必要スロットを示す図である。
【符号の説明】
１ａ  折返し部にてＮ対１選択を行う１対Ｎ通信装置、１ｂ  交換部にてＮ対１選択を行う１対Ｎ通信装置、１ｃ  データ入出力部にてＮ対１選択を行う１対Ｎ通信装置、１ｄ  データ入出力部にてＮ対１選択を行う１対Ｎ通信装置、２１ａ  データ入出力部１、２１ｂ  データ入出力部２、２１ｃ  データ入出力部３、２１ｄ  データ入出力部Ｍ、２２ａ  データ入出力・Ｎ対１選択部１、２２ｂデータ入出力・Ｎ対１選択部２、２２ｃ  データ入出力・Ｎ対１選択部３、２２ｄ  データ入出力・Ｎ対１選択部Ｍ、２４  選択判定部、２５  多重同期バスＩＦ変換部、２６  出力制御部、３ａ  １対１交換部と１対Ｎ交換部から構成される制御部、３ｂ  Ｎ対１交換部と１対Ｎ交換部から構成される制御部、３ｃ  １対１交換部と１対Ｎ交換部から構成される制御部、３ｄ  １対１交換部と１対１交換部から構成される制御部、３１ａ  １対１交換部（上り）、３１ｂ  Ｎ対１交換部（上り）、３２ａ  １対Ｎ交換部（下り）、３２ｂ  １対１交換部（下り）、３４  選択判定部、３５  スイッチ設定部、３６  スイッチ部、、４１ａＮ対１選択・折返し部１、４１ｂ  Ｎ対１選択・折返し部Ｌ、４２ａ  １対１折返し部１、４２ｂ  １対１折返し部Ｌ、１２０  入出力線Ａａ，Ａｂ、Ｂａ，Ｂｂ  出力線、Ｃａ，Ｃｂ  接続線。
【図１】
0003805215.tif 000002
【図２】
0003805215.tif 000003
【図３】
0003805215.tif 000004
【図４】
0003805215.tif 000005
【図５】
0003805215.tif 000006
【図６】
0003805215.tif 000007
【図７】
0003805215.tif 000008
【図８】
0003805215.tif 000009
【図９】
0003805215.tif 000010
【図１０】
0003805215.tif 000011
【図１１】
0003805215.tif 000012
【図１２】
0003805215.tif 000013
【図１３】
0003805215.tif 000014
【図１４】
0003805215.tif 000015
【図１５】
0003805215.tif 000016
【図１６】
0003805215.tif 000017
【図１７】
0003805215.tif 000018
【図１８】
0003805215.tif 000019
【図１９】
0003805215.tif 000020
【図２０】
0003805215.tif 000021
【図２１】
0003805215.tif 000022
【図２２】
0003805215.tif 000023